(57)【要約】【課題】簡単に折り畳んで廃棄可能な包装箱を提供する。【解決手段】底壁部１０と、第１および第２側壁部１１Ａ，１１Ｂと、蓋壁部１２と、第１および第２内フラップ２２Ａ，２２Ｂ，２３Ａ，２３Ｂと、第１および第２外フラップ２１Ａ，２１Ｂ，２４Ａ，２４Ｂとを備え、破断手段（片ジッパー２６）により蓋壁部１２を開放可能とした包装箱において、底壁部１０および両側の第１外フラップ２１Ａ，２１Ｂに、各第１外フラップ２１Ａ，２１Ｂの先端略中央間にかけて延びる第１折曲線２７を設けるとともに、一対の第２外フラップ２４Ａ，２４Ｂに、各第２外フラップ２４Ａ，２４Ｂの先端略中央から連続する蓋壁部１２にかけて延びる第２折曲線２８を設け、第１外フラップ２１Ａ，２１Ｂを第１および第２内フラップ２２Ａ〜２３Ｂから剥離した状態で各折曲線２７，２８に沿って折り曲げることにより平坦に折り畳み可能としている。【選択図】図１
2006347589.tif 000002
【特許請求の範囲】
【請求項１】
底壁部と、該底壁部の両端に連設した第１および第２側壁部と、第１側壁部に連設した蓋壁部と、前記第１および第２側壁部の両側に連設した各一対の第１および第２内フラップと、前記底壁部および蓋壁部の両側に連設した各一対の第１および第２外フラップとを備え、少なくとも前記蓋壁部と第２外フラップとの境界部分に破断手段を設け、該蓋壁部を開放可能とした包装箱において、
前記底壁部および両側の第１外フラップに、各第１外フラップの先端略中央間にかけて延びる第１折曲線を設けるとともに、一対の第２外フラップに、各第２外フラップの先端略中央から連続する前記蓋壁部にかけて延びる第２折曲線を設け、
前記第１外フラップを第１および第２内フラップから剥離した状態で各折曲線に沿って折り曲げることにより平坦に折り畳み可能としたことを特徴とする包装箱。
【請求項２】
一対の前記第２外フラップの先端に、指の差込部を設けたことを特徴とする請求項１に記載の包装箱。
【請求項３】
前記第１および第２内フラップの少なくとも一方に、前記差込部と対応する挿通部を設けたことを特徴とする請求項２に記載の包装箱。
【発明の詳細な説明】
【技術分野】
【０００１】
本発明は、包装箱に関するものである。
【背景技術】
【０００２】
従来、１００ｍｌ程度の少量の液体を小瓶に収容した栄養ドリンクなどの商品は、例えば１０本単位に纏めて包装箱に収容される。この包装箱は、底壁と、該底壁部の両端に連設した第１および第２側壁部と、第１側壁部に連設した蓋壁部と、該蓋壁部に連設した縁壁部と、前記第１および第２側壁部の両側に連設した各一対の第１および第２内フラップと、前記底壁部および蓋壁部の両側に連設した各一対の第１および第２外フラップとを備えている。そして、前記蓋壁部と第２外フラップとの境界部分には破断手段が設けられ、該蓋壁部のみまたは前記蓋壁部および前記縁壁部の少なくとも一部を一緒に開放することにより、内部の商品を取り出すことができる。
【０００３】
このような商品の購入者は、販売店で１本毎に購入することも可能であるが、包装箱のまま箱単位で購入することも可能である。そのため、頻繁に服用する物は、箱単位で購入することが多い。そして、この包装箱は、比較的小さく、薄い紙製であるため、全ての商品を取り出した後には、資源ゴミとして廃棄されることが多い。
【０００４】
このような包装箱をそのままゴミ袋に入れると、占有する体積が大きくなるため、平坦に展開した後に折り畳んで廃棄されることが多い。そして、その作業は、まず、内フラップに貼着した外フラップを剥離することにより、略ブランクに近い状態に展開した後、所定位置で折り畳むことにより行われる。しかし、このような展開および折り畳み作業は、非常に面倒であるという問題がある。また、蓋壁部から破断された外フラップが単独で分離されるため、小さなゴミが増えるという不都合がある。
【０００５】
このような本発明の課題とは異なるが、使用後に折り畳むことが可能な包装箱に関連する先行技術文献情報としては次のものがある。
【０００６】
【特許文献１】実開平２−１４４５１４号公報
【０００７】
この特許文献１は、底面板と、該底面板の両側に連設した側面板と、これら側面板の上端縁に連設した蓋フラップと、一方の側面板の両端縁に連設した妻面板と、各妻面板に連設した折込フラップと、他方の側面板の両端縁に連設した接続片とを備えた包装箱が記載されている。この包装箱は、使用時の組立作業性を向上することを目的として、底面板に横折線を設けるとともに、接続片に縦折線を設けている。そして、これら折線に沿って折り曲げて一対の側面板を近接させた折り畳み状態で、各側面板が離間するように広げ、折込フラップを底面板に重畳させることにより、ワンタッチで組立可能に構成している。言い換えれば、この組立状態で、前記折線に沿って折り曲げることにより、使用後に簡単に折り畳むことができる。
【０００８】
しかしながら、この包装箱は、底面板と接続片または妻面板が一体的に固着できないため、内部の収容した商品の重みで底面板が横折線に沿って折れ曲がり、隙間が生じる。そのため、収容した商品の保護を優先した強固な構造をする包装箱としては、安定性に欠けるため、採用することはできない。
【発明の開示】
【発明が解決しようとする課題】
【０００９】
本発明は、従来の問題に鑑みてなされたもので、簡単に折り畳んで廃棄可能な所謂ラップアラウンド形式の包装箱を提供することを課題とするものである。
【課題を解決するための手段】
【００１０】
前記課題を解決するため、本発明の包装箱は、底壁部と、該底壁部の両端に連設した第１および第２側壁部と、第１側壁部に連設した蓋壁部と、前記第１および第２側壁部の両側に連設した各一対の第１および第２内フラップと、前記底壁部および蓋壁部の両側に連設した各一対の第１および第２外フラップとを備え、少なくとも前記蓋壁部と第２外フラップとの境界部分に破断手段を設け、該蓋壁部を開放可能とした包装箱において、前記底壁部および両側の第１外フラップに、各第１外フラップの先端略中央間にかけて延びる第１折曲線を設けるとともに、一対の第２外フラップに、各第２外フラップの先端略中央から連続する前記蓋壁部にかけて延びる第２折曲線を設け、前記第１外フラップを第１および第２内フラップから剥離した状態で各折曲線に沿って折り曲げることにより平坦に折り畳み可能としている。
【００１１】
本発明によれば、底壁部と、第１および第２側壁部と、蓋壁部と、縁壁部と、第１および第２内フラップと、第１および第２外フラップとを備えた従来と同様のラップアラウンド形式の包装箱であるため、収容した商品の保護を優先した強固な構造を維持できる。しかも、第１外フラップを内フラップから剥離した状態で、第１外フラップの先端中央間にかけて設けた第１折曲線と、一対の第２外フラップに設けた第２折曲線に沿って折り曲げることにより、該包装箱を簡単に平坦な状態に折り畳むことができる。そのため、収容する商品の保護を優先した強固な構造を維持したうえで、廃棄時の利便性を向上できる。
【００１２】
この包装箱では、一対の前記第２外フラップの先端に、指の差込部を設けることが好ましい。
この場合、前記第１および第２内フラップの少なくとも一方に、前記差込部と対応する挿通部を設けることが好ましい。
これらのようにすれば、第１外フラップを内フラップから剥離する際の作業性を向上できる。
【発明の効果】
【００１３】
本発明の包装箱では、第１外フラップの先端中央間にかけて延びる第１折曲線を設けるとともに、一対の第２外フラップに第２折曲線を設け、第１外フラップを内フラップから剥離した状態で各折曲線に沿って折り曲げることにより、該包装箱を簡単に平坦な状態に折り畳むことができる。そのため、収容する商品の保護を優先した強固な構造を維持したうえで、廃棄時の利便性を向上できる。
【発明を実施するための最良の形態】
【００１４】
以下、本発明の実施の形態を図面に従って説明する。
【００１５】
図１から図４は、本発明の実施形態に係る包装箱を示す。この包装箱は、四方を囲繞する壁部１０，１１Ａ，１１Ｂ，１２、および、これらに連設したフラップ２１Ａ〜２４Ｂを備え、１００ｍｌ程度の少量の液体を小瓶に収容した栄養ドリンクなどの商品を所定配列で収容するものである。
【００１６】
具体的には、この包装箱は、ボール紙（単紙）または薄肉の段ボール紙を、周知のダイカッター方式の紙器打抜装置によって図５に示す連続した一枚のブランクとして打ち抜き、自動組立包装装置により組み立てられる。
【００１７】
この包装箱のブランクは、図５に示すように、矩形状をなす底壁部１０を備え、その上下両端に第１および第２側壁部１１Ａ，１１Ｂが連設されている。また、上側の第１側壁部１１Ａの上端には蓋壁部１２が連設され、この蓋壁部１２の上端には更に縁壁部１３が連設されている。そして、縦方向に連続した各壁部１０〜１３のうち、底壁部１０と側壁部１１Ａ，１１Ｂとの境界部分、および、蓋壁部１２と縁壁部１３との境界部分には、それぞれ肉厚を圧縮するように罫を入れて形成した折曲線１４が設けられている。また、第１側壁部１１Ａと蓋壁部１２との境界部分には、肉厚を圧縮した折曲線上に沿って所定間隔をもって切断線を設けたリード罫１５が設けられている。
【００１８】
そのうち、蓋壁部１２の中央には、一対の把持用差込穴１６が設けられている。この把持用差込穴１６は、縦方向に延びる折曲線１６ａと、該折曲線１６ａの両端から半長楕円形状をなすように延びる切断部１６ｂとからなる。この切断部１６ｂの一部である頂部は非切断部とされている。
【００１９】
また、縁壁部１３は、両側縁にかけて横方向に延びる開放用破断線１７により、再封緘用の差込片１８と、第２側壁部１１Ｂの表面に貼着される貼着片１９とに区画されている。開放用破断線１７は、中央に位置する半円形状の切断部１７ａと、該切断部１７ａの両端より横方向に延びる片ジッパー部１７ｂとからなる。この片ジッパー部１７ｂは、所定間隔をもって横方向に直線的に延びる切断線と、該切断線の一端から傾斜して延びるガイド用切断線とからなる。
【００２０】
さらに、第２側壁部１１Ｂは、前記縁壁部１３が表面に貼着されるもので、組立状態で上端に位置する先端中央に破断操作用の切欠部２０が設けられている。この切欠部２０は、その底部が片ジッパー部１７ｂに一致する略台形状の第１切欠部２０ａと、前記切断部１７ａと一致する半円形状の第２切欠部２０ｂとからなる。
【００２１】
前記底壁部１０の左右両側には、一対の第１外フラップ２１Ａ，２１Ｂが連設されている。また、第１側壁部１１Ａの左右両側には、一対の第１内フラップ２２Ａ，２２Ｂが連設されている。さらに、第２側壁部１１Ｂの左右両側には、一対の第２内フラップ２３Ａ，２３Ｂが連設されている。さらにまた、蓋壁部１２の左右両側には、一対の第２外フラップ２４Ａ，２４Ｂが連設されている。そして、底壁部１０および側壁部１１Ａ，１１Ｂと各フラップ２１Ａ〜２３Ｂとの境界部分には、前記と同様の折曲線２５が設けられている。また、蓋壁部１２と第２外フラップ２４Ａ，２４Ｂとの境界部分には、分離用の破断手段として、境界線に沿って縦方向に所定間隔をもって延びる切断線と、該切断線の一端から傾斜して延びるガイド用切断線とからなる片ジッパー２６が設けられている。
【００２２】
そして、本実施形態では、底壁部１０および両側の第１外フラップ２１Ａ，２１Ｂに、折り畳み用の第１折曲線２７が設けられている。この第１折曲線２７は、肉厚を圧縮するように罫を入れて形成したもので、一対の第１外フラップ２１Ａ，２１Ｂの先端中央間にかけて直線的に延びるように設けられている。
【００２３】
また、第２外フラップ２４Ａ，２４Ｂには、折り畳み用の第２折曲線２８がそれぞれ設けられている。これら第２折曲線２８は、同様に肉厚を圧縮するように罫を入れて形成したもので、各第２外フラップ２４Ａ，２４Ｂの先端中央から連続する蓋壁部１２の両側縁中央にかけて直線的に延びるように設けられている。
【００２４】
さらに、第２外フラップ２４Ａ，２４Ｂの先端中央には、指の差込部２９が設けられている。この差込部２９は、所定間隔をもって半円形状に延びる第１切断部２９ａと、該第１切断部２９ａ内を横方向に延び、前記第２折曲線２８と直線的に一致する第２切断部２９ｂとを備え、残留紙片により閉塞された穴からなる。
【００２５】
さらにまた、前記第２外フラップ２４Ａ，２４Ｂの内側に重畳する第１および第２内フラップ２２Ａ〜２３Ｂには、前記差込部２９と対応し、この差込部２９の押圧操作を許容するための凹状の切り欠きからなる挿通部３０が設けられている。
【００２６】
前記構成の包装箱は、例えば、前記ブランクの状態で所定の製造メーカに出荷され、自動組立包装装置により封緘される。具体的には、ブランク状態の底壁部１０に所定の配列で商品が載置される。その後、前記底壁部１０を中心として各壁部１１Ａ，１１Ｂ，１２および縁壁部１３が折り曲げられ、第２側壁部１１Ｂの表面に縁壁部１３の貼着片１９が熱溶融樹脂からなる接着剤（ホットメルト）で貼着される。また、各内フラップ２２Ａ，２２Ｂ，２３Ａ，２３Ｂが折り曲げられた後、その表面に各外フラップ２１Ａ，２１Ｂ，２４Ａ，２４Ｂが折り曲げられ、これらがホットメルトで貼着され、図１に示す封緘状態の包装箱が形成される。
【００２７】
商品を包装箱のまま箱単位で購入した購入者が内部の商品を取り出す場合、購入者は、まず、縁壁部１３の開放用破断線１７の切断部１７ａに指を当て、内向きに押圧する。これにより、切断部１７ａに沿って縁壁部１３が破断され、切欠部２０を通して差込片１８が内側に入り込む。その後、購入者が上向きに引き上げることにより、続いて片ジッパー部１７ｂに沿って縁壁部１３が破断される。縁壁部１３が完全に破断された後、更に続いて差込片１８を引き上げると、蓋壁部１２と第２外フラップ２４Ａ，２４Ｂとが片ジッパー２６に沿って破断される。これにより、図２に示すように、包装箱は、縁壁部１３の一部である差込片１８と一緒に蓋壁部１２を開放し、内部の商品が取り出し可能な状態になる。
【００２８】
包装箱内の商品を全て取り出して、該包装箱を廃棄する場合には、購入者は、まず、差込部２９に指を当て、内向きに押圧する。これにより、第１切断部２９ａに沿って差込部２９を分離し、露出した第１外フラップ２１Ａ，２１Ｂの内面側に挿通部３０を通して指を当てる。そして、第１外フラップ２１Ａ，２１Ｂを外向きに引っ張ることにより、図３に示すように、内フラップ２２Ａ，２２Ｂ，２３Ａ，２３Ｂから第１外フラップ２１Ａ，２１Ｂを引き剥がす（剥離する）。なお、差込部２９内に位置する紙片は、必ずしも分離する必要はなく、第１切断部２９ａの非連続部を介して連続した状態で残してもよい。
【００２９】
ついで、底壁部１０および第１外フラップ２１Ａ，２１Ｂが外向きに突出するように、第１折曲線に沿ってこれらを２つ折りして重畳させる。また、内フラップ２２Ａ，２２Ｂ，２３Ａ，２３Ｂおよび第２外フラップ２４Ａ，２４Ｂが外向きに突出するように、第２折曲線２８に沿って第２外フラップ２４を２つ折りして、各内フラップ２２Ａ，２３Ａ，２２Ｂ，２３Ｂおよび第２外フラップ２４Ａ，２４Ｂを重畳させる。これにより、図４に示すように、直方体形状をなす包装箱を平坦な状態に折り畳むことができる。
【００３０】
なお、前記折り畳み方法は一例であり、その手順は購入者の希望に応じて行うことができる。例えば、前記第１外フラップ２１Ａ，２１Ｂは、底壁部１０に対して平面状をなすように外向きに突出させたが、底壁部１０の底面に重畳するように屈曲させた状態としてもよい。また、第２外フラップ２４Ａ，２４Ｂは、外向きに突出するように折り曲げたが、内向きに入り込むように折り曲げてもよい。さらに、蓋壁部１２は、リード罫１５に沿って破断することにより、分離することも可能である。
【００３１】
このように、本発明の包装箱は、底壁部１０と、第１および第２側壁部１１Ａ，１１Ｂと、蓋壁部１２と、縁壁部１３と、第１および第２内フラップ２２Ａ，２２Ｂ，２３Ａ，２３Ｂと、第１および第２外フラップ２１Ａ，２１Ｂ，２４Ａ，２４Ｂとを備えた従来と同様のラップアラウンド形式であるため、収容した商品の保護を優先した強固な構造を維持できる。
【００３２】
しかも、第１外フラップ２１Ａ，２１Ｂを内フラップ２２Ａ〜２３Ｂから剥離した状態で、第１折曲線２７と第２折曲線２８に沿って、底壁部１０、第１外フラップ２１Ａ，２１Ｂおよび第２外フラップ２４Ａ，２４Ｂを所定方向に折り曲げることにより、直方体形状をなす包装箱を簡単に平坦な状態に折り畳むことができる。さらに、第２外フラップ２４Ａ，２４Ｂに設けた差込部２９および内フラップ２２Ａ，２２Ｂ，２３Ａ，２３Ｂに設けた挿通部３０により、第１外フラップ２１Ａ，２１Ｂを剥離する作業性が向上されている。そのため、収容する商品の保護を優先した強固な構造を維持したうえで、廃棄時の利便性を向上できる。
【００３３】
そして、このように廃棄時の利便性を向上させるために付加した構成は、組立状態で外側から確認できない内面側に位置するように設けた第１折曲線２７、第２折曲線２８および挿通部３０と、切断部２９ａ，２９ｂからなる小さな差込部２９だけである。そのため、既存のラップアラウンド形式の包装箱のデザインを損なうこともない。
【００３４】
なお、本発明の包装箱は、前記実施形態の構成に限定されるものではなく、種々の変更が可能である。
【００３５】
例えば、前記実施形態では、開放用破断線１７により差込片１８と貼着片１９とに区画し、第２側壁部１１Ｂの外面に貼着する構成としたが、第２側壁部１１Ｂの内面側に挿入する差込片１８のみにより構成してもよい。逆に、貼着片１９のみにより構成し、蓋壁部１２との境界部分に同様の開放用破断線１７を設け、蓋壁部１２のみを開放可能に構成してもよい。即ち、本発明の包装箱は、蓋壁部１２を開放した状態すると、該蓋壁部１２のみまたは該蓋壁部１２および前記縁壁部１３の少なくとも一部を一緒に開放可能とした構成の両方を含む。
【００３６】
また、第１折曲線２７および第２折曲線２８は、肉厚を圧縮するように罫を入れて形成した構成に限られず、リード罫１５により構成してもよく、その形成構造は希望に応じて変更可能である。
【００３７】
さらに、前記実施形態では、差込部２９を第２外フラップ２４Ａ，２４Ｂの先端中央に設けたため、切り欠きからなる挿通部３０を全ての内フラップ２２Ａ，２２Ｂ，２３Ａ，２３Ｂに設けたが、差込部２９を中央から偏った位置に設ける場合、対応する一方の内フラップ２２Ａ，２３Ａまたは２２Ｂ，２３Ｂに貫通した穴からなる挿通部３０を設ければよい。また、前記実施形態と同様に、差込部２９を第２外フラップ２４Ａ，２４Ｂの先端中央に設ける場合で、かつ、内フラップ２２Ａ〜２３Ｂの対向する先端間に大きな隙間が形成される寸法設定の場合、前記挿通部３０は必ずしも設ける必要はない。
【００３８】
そして、前記実施形態では、包装箱を平面視および側面視四角形状に形成したが、この包装箱は、例えば、隣接する壁部１０，１１Ａ，１１Ｂ，１２の各境界部分などに面取壁を設けた側面視八角形状としてもよく、このようにしても前記と同様に折曲線２７，２８を形成可能であり、同様の作用および効果を得ることができる。勿論、平面視八角形状としてもよい。即ち、本発明の包装箱は、立方体形状に限られず、多角形状の包装箱であれば同様に適用可能である。
【図面の簡単な説明】
【００３９】
【図１】本発明に係る実施形態の包装箱を示す斜視図である。
【図２】包装箱の開放状態を示す斜視図である。
【図３】包装箱の折り畳み過程を示す斜視図である。
【図４】包装箱の折り畳み状態を示す斜視図である。
【図５】包装箱のブランクを示す平面図である。
【符号の説明】
【００４０】
１０…底壁部
１１Ａ，１１Ｂ…側壁部
１２…蓋壁部
１３…縁壁部
１７…開放用破断線
１８…差込片
１９…貼着片
２１Ａ，２１Ｂ…第１外フラップ
２２Ａ，２２Ｂ…第１内フラップ
２３Ａ，２３Ｂ…第２内フラップ
２４Ａ，２４Ｂ…第２外フラップ
２６…片ジッパー（破断手段）
２７…第１折曲線
２８…第２折曲線
２９…差込部
３０…挿通部
【図１】
2006347589.tif 000003
【図２】
2006347589.tif 000004
【図３】
2006347589.tif 000005
【図４】
2006347589.tif 000006
【図５】
2006347589.tif 000007